(57)【要約】【課題】配管用保護キャップにおいて装着、抜去の作業性が良く、かつ装着後は外れにくい形状とし、再生使用が可能である材質による保護キャップの提供。【解決手段】挿入口部を本体内径より小径とし更に本体外周部より薄肉として収縮性を持たせ、本体上面に自在に揺動可能な帯部に連設されたツマミを有する構造にし、熱可塑性エラストマーにより形成する。これにより挿入が容易になるととに、挿入口部からの異物混入や脱落が防止でき、抜去の作業性も向上し、再生使用が容易に行えるようになる。【選択図】  図１
2005299740.tif 000002
【特許請求の範囲】
【請求項１】
パイプの先端に設けられる接続部に勘合可能な保護キャップにおいて、前記相手パイプの接続部を覆うキャップ本体部内径より挿入口径を小径とした事を特徴とする配管用保護キャップ。
【請求項２】
前記挿入口部は本体に比して薄肉に形成され、収縮可能とした事を特徴とする請求項1の配管用保護キャップ。
【請求項３】
キャップ上面に自在に揺動可能な帯部に連接されたツマミを形成していることを特徴とする請求項１又は２の配管用保護キャップ。  
【請求項４】
熱可塑性エラストマーにより一体射出成形された請求項１〜３のいずれか１項記載の配管用保護キャップ。
【発明の詳細な説明】
【技術分野】
【０００１】
本発明は自動車や機械等への燃料や油等の流体供給用配管端部の接続部を破損、傷、ゴミ等から保護する為の配管用保護キャップに関するものである。
【背景技術】
【０００２】
図３に示すように従来、自動車や機械等への燃料や油等の流体供給用配管端部の接続部２は円錐もしくは球面形状をして配管１より太くなっており、接続部２より内側に締付けナット３が配置されている、接続部２は供給流体の漏れを防止するため、傷、変形及び、ゴミ等異物の付着を防止する目的で塩化ビニル製の保護キャップ５の装着を行っていた。
【０００３】
そして図４のように従来品の塩化ビニル製の保護キャップ５は上面に連続してツノ状の引張り片５ｃを突出形成し、このツノ状の引張り片５ｃを手指にて保持して引っ張ることにより配管から保護キャップの取外しを可能としている。
【特許文献１】実開平６−７６１０９
【特許文献２】実開平６−７８６９６
【発明の開示】
【発明が解決しようとする課題】
【０００４】
この塩化ビニル製保護キャップは材料の収縮性が低いので、装着の作業性を向上させる為に、内径を大き目にしたり、挿入口部を切断して挿入口径を広がるようにして装着していたが、接続部との勘合力の低下による外れや、接続部に連接する締付けナットの内側ネジ部に挿入口部が当り押されによる外れ、引張り片が接触して外れる虞れがあった。また、挿入口部が広くなってしまうのでゴミ等の異物混入の要因となっていた。
また、保護キャップ上面に連接するツノ状の引張り片は単純な筒形状もしくは円錐形状のため、取外し時に作業用手袋を装着していたり、作動油が付着していると取外しが行い難いという欠点があった。
【０００５】
また、この配管用保護キャップは配管の組立て工程までの運送と、部品としての一時保管の間に用いられる一過性のものであるのと、塩化ビニルは再生使用が不可能なため、使用後は廃棄や焼却処理されていた。しかし、塩化ビニルはそれ自身より環境ホルモンを溶出したり、焼却すると塩素系ガスを発生し、さらに燃焼温度などの焼却条件により、塩素と有機物が化学反応してダイオキシンを発生する一因になると言われており、早急な代替を求められていた。
【０００６】
本発明はこのような従来の保護キャップが有していた問題を解決しようとするものであり、装着、抜去し易くかつ、外れ難く、廃棄処理することなく再生使用可能な材質による安価な配管用保護キャップを提供するものである。
【課題を解決するための手段】
【０００７】
上記の問題を解決するために、本考案に係る配管用保護キャップにおいて講じた手段は、保護キャップの挿入口径は、本体内径より小径とすることである。
【０００８】
また、挿入口部肉厚は本体部肉厚より薄肉に形成し収縮自在にすることが好ましい。
【０００９】
また、保護キャップ上面に薄肉で自在に揺動可能な帯部に連設したツマミを設け、このツマミは帯部断面より大きい事が好ましい。
【００１０】
また、保護キャップを形成する樹脂材料として熱可塑性エラストマー、ポリプロピレンン、ポリエチレン等柔軟性と収縮性を有する材質を使用するのが好ましい。
【発明の効果】
【００１１】
上述したように本発明の配管用保護キャップは、そのキャップ本体を装着するの挿入口部が収縮自在のため、装着が容易に行え、更に接続部挿入後、挿入口部が狭くなるのでゴミ等の異物混入を防止できると供に、締付けナットによる外れをも防止できる保護キャップを提供できる。
【００１２】
また、装着状態からの保護キャップの取外しは、そのツマミを掴んで引くことで行える。このツマミはその基部が帯部に比して大きく形成されているため、容易に指で掴むことができるので、取外しの操作性が良い。
【００１３】
また、帯部は薄肉で自在に揺動可能なので、装着後ツマミが壁や床、輸送用梱包材に接触しても容易に揺動するので外れを防ぐ事ができる。
【００１４】
また、保護キャップを形成する樹脂材料として熱可塑性エラストマー、ポリプロピレンン、ポリエチレン等柔軟性を有する材質を使用するのが好ましく、熱可塑性樹脂のため射出成形が可能となりキャップ本体を大量に成形できるので低コストで供給が可能になる。さらに、塩化ビニルでは、環境に与える影響が大きいが、熱可塑性エラストマー、ポリプロピレン、ポリエチレン等では、リサイクル等を容易に行う事が可能となり、
安全なリサイクル処理を行う事が可能となる。
【発明を実施するための最良の形態】
【００１５】
以下、本発明の実施例を図面に基づいて説明する。
【００１６】
図1は本発明の保護キャップ４が燃料用配管１の接続部２に勘合されている状態を示し、図２はこの保護キャップ４の断面図を示す。
【００１７】
図１に示すように自動車や機械等への燃料や油等の流体供給用配管端部の接続部２は円錐もしくは球面形状をして配管１より太くなっており、接続部２より内側に締付けナット３が配置されている、接続部２に保護キャップ４を装着する際に、保護キャップ４はゴム材と同等の柔軟性を持つ熱可塑性エラストマー等の合成樹脂を射出成形して形成したもので、挿入口部４ｂの厚みＴ２はキャップ本体部厚みＴ１より薄肉にすることにより、柔軟性を有し容易に接続部への装着が行える。
【００１８】
図２に示されるように、保護キャップの挿入口部径Ｄ２は本体径Ｄ１より小径になっており、接続部２に装着後、挿入口部４ｂは瞬時に収縮し配管１とほぼ同径になることにより、接続部２に勘合すると供に、ゴミ等の異物の混入を防ぐことができる。また、挿入口部４ｂは薄肉により締付けナット３の内側のネジ部３ａに干渉しにくくなり、輸送時に締付けナット３に押されて外れること防ぐと供に、保護キャップ４を抜去するときにもネジ部３ａに挿入口部４ｂの外周が噛み込まれて抜去しにくくなるのを防ぐことができるようになっている。
【００１９】
また、保護キャップの上面中央からキャップ軸心方向に伸びる帯部４ｃが設けられ先端にはツマミ４ｄが連設されている。この帯部４ｃは薄い板状になっており自在に揺動可能なので輸送や保管時にツマミ４ｄが壁面、床、梱包材等に接触しても保護キャップが外れるのを防止できるようになっている。
また、帯部４ｃはキャップ本体４ａ及び、ツマミ４ｄとの接続部をＲ形状にする事により抜去時の破断強度を高めることができる。
【００２０】
また、ツマミ４ｄは帯部４ｃと接続する側の断面形状を四角形状にする事により、手袋をした指先でも容易に掴むことができるので作業性の向上が計れる。
【図面の簡単な説明】
【００２１】
【図１】本発明の実施例の保護キャップの断面図
【図２】（ａ）は保護キャップの上面からの平面図、（ｂ）はその正面断面図、（ｃ）はその側面断面図。
【図３】従来品の装着状態を示す断面図。
【図４】（ａ）は従来品の正面断面図、（ｂ）はその側面断面図
【符号の説明】
【００２２】
１  配管
２  接続部
３  締付けナット
3ａ  ネジ部
４  保護キャップ
4ａ  キャップ本体
4ｂ  挿入口部
4ｃ  帯部
4ｄ  ツマミ
５  従来品保護キャップ
5ａ  キャップ本体
5ｂ  挿入口部
5ｃ  引張り片
【図１】
2005299740.tif 000003
【図２】
2005299740.tif 000004
【図３】
2005299740.tif 000005
【図４】
2005299740.tif 000006